(57)【要約】【課題】  本実施形態は、プリンタ等の付加装置を必要とせずに、記録ディスクの残記録容量をユーザに提示することができる光ディスク装置を提供することを目的とする。【解決手段】  本実施形態の光ディスク装置は、情報を記録可能な記録膜を有する記録ディスクに対して、記録ディスクの前記記録膜に、残容量を示す目印を記録することを特徴とする。これにより、ユーザは、記録ディスクの残容量をプリンタ等の付加装置を必要とことなく容易に把握することができる。【選択図】  図３
2014010872.tif 000002
【特許請求の範囲】
【請求項１】
情報を記録可能な記録膜を有する記録ディスクに対して、前記記録ディスクの前記記録
膜に、残容量を示す目印を記録することを特徴とする光ディスク装置。
【請求項２】
前記残容量を示す目印は、前記記録ディスクの情報が記録されている領域とは異なる反
射率を有するように形成することを特徴とする請求項１記載の光ディスク装置。
【請求項３】
前記残容量を示す目印は、前記記録ディスクがDVD-RWディスクであって、前記DVD-RWに
前記情報を記録させ、これを再初期化した上で、前記情報を記録し、前記情報の記録終了
後、前記情報が記録された領域に隣接した位置に形成することを特徴とする請求項２記載
の光ディスク装置。
【発明の詳細な説明】
【技術分野】
【０００１】
本実施形態は、光ディスク装置に関し、特に、記録ディスクの残記録容量を可視化でき
る光ディスク装置に関する。
【背景技術】
【０００２】
従来、記録ディスクの残記録容量を可視的に判断できるようにするために、記録済領域
と未記録領域を、記録ディスクのレーベル面にプリンタ等の外部装置で色素を変えて表示
する装置が知られている。
【先行技術文献】
【特許文献】
【０００３】
【特許文献１】特開2001-101825号公報
【発明の概要】
【発明が解決しようとする課題】
【０００４】
従来の装置は、記録ディスクの記録済領域と未記録領域を、記録ディスクのレーベル面
にプリンタ等の付加装置で色素を変えて表示する装置が知られている。
【０００５】
しかし、該装置の場合、該プリンタ等の外部装置で色素が変わる記録ディスクを用いな
ければならない点や、該記録ディスクのレーベル面に印刷する付加装置が必要となってし
まう問題点があった。
【０００６】
本実施形態は、プリンタ等の付加装置を必要とせずに、記録ディスクの残記録容量をユ
ーザに提示することができる光ディスク装置を提供することを目的とする。
【課題を解決するための手段】
【０００７】
上記目的を達成するために、本実施形態の光ディスク装置は、情報を記録可能な記録膜
を有する記録ディスクに対して、前記記録ディスクの前記記録膜に、残容量を示す目印を
記録することを特徴とする。
【０００８】
そして、本実施形態によれば、記録ディスクに残容量を示す目印が記録面に記録されて
いることにより、ユーザは、記録ディスクの残容量を、記録膜を見ることで把握すること
が出来る。
【０００９】
また、特殊な記録ディスクを用いることなく、更に光ディスク装置側もプリンタ等の付
加装置を必要とせずに実現できる。
【００１０】
さらに、記録済の記録ディスクに、情報として例えば番組録画やPCでのファイル記録を
行う場合、どのくらいの空き容量があるか分からない。その際、レコーダやPC接続の光デ
ィスク装置に挿入して、記録ディスクのディスク情報から空き容量を見ることは可能であ
るが、装置の電源立ち上げからディスク情報取得まで時間を要する。このため、上記目印
があれば、記録ディスクの記録膜を見るだけで、すぐにある程度の空き容量が判断できる
。
【００１１】
また、本実施形態によれば、前記残容量を示す目印は、前記記録ディスクの情報が記録
されている領域とは異なる反射率を有するように形成することを特徴とする。
【００１２】
そして、本実施形態によれば、記録部分と未記録部分で反射率が異なることで、ユーザ
が目視でどこまで記録したか判断できる。また、新たな付加装置を装備しなくても、ファ
ームウエアの修正だけで実現できる。
【００１３】
また、本実施形態によれば、前記残容量を示す目印は、前記記録ディスクがDVD-RWディ
スクであって、前記DVD-RWに前記情報を記録させ、これを再初期化した上で、前記情報を
記録し、前記情報の記録終了後、前記情報が記録された領域に隣接した位置に形成するこ
とを特徴とする。
【図面の簡単な説明】
【００１４】
【図１】一実施の形態にかかわる記録ディスクの状態図その1。
【図２】同実施の形態にかかわる記録ディスクの状態図その2。
【図３】同実施の形態にかかわる記録ディスクの状態図その3。
【図４】同実施の形態にかかわる光ディスク装置の制御フローチャート。
【図５】同実施の形態にかかわる光ディスク装置のブロック図。
【発明を実施するための形態】
【００１５】
以下、図面を参照して本実施の形態を説明する。
【００１６】
図１は、記録ディスク1000の記録状態を示す図で、情報が記録された場合の記録面の様
子を示している。
【００１７】
なお、記録ディスク1000は、DVD-RWディスク，BD-REディスク等書き換え可能な光ディ
スクを想定しているが、これに限るものではない。
【００１８】
記録ディスク1000は、相変化膜を利用した情報の書き換え可能なディスクであり、記録
済領域1010と未記録領域1020とで反射率が異なるため、記録ディスク1000の記録面を見る
と、記録済領域1010と未記録領域1020との領域の違いを目視することができる。このため
、図１のように、記録面の未記録領域1020を見ることで、ユーザは、ある程度の残容量が
判断できる。
【００１９】
なお、未記録領域1020は、上記相変化膜の状態は結晶状態であるのに対して、記録済領
域1010は、上記相変化膜の状態はアモルファス状態であり、未記録領域1020の結晶状態か
ら変化している。アモルファス状態は、後述するBD/DVDドライブ部2000が有するレーザの
パワーのうち、Write Powerを記録ディスク1000の相変化膜に照射することにより得られ
る。なお、レーザパワーとしては、大きく3段階あり、パワーの大きい順に、Write Power
，Erase Power，Read Powerを有する。
【００２０】
図２は、記録ディスク1000の記録状態を示す図で、記録ディスク1000のほぼ外周(記録
容量ほぼいっぱい)まで情報が記録された場合の記録面の様子を示している。
【００２１】
この状態で、該記録ディスク1000を再初期化(相変化膜の状態は、記録状態のアモルフ
ァス状態のままで、論理的に情報のアクセスを不可とする)して、改めて内周から記録を
した場合、記録済領域1010に上書きして新たな情報が記録済となる(アモルファス状態か
らアモルファス状態)ので、ユーザは、新たに記録した領域がどこまでか判断できない。
【００２２】
図３は、記録ディスク1000の記録状態を示す図で、新たに、残容量マーク領域1050が記
録された場合の記録面の様子を示している。
【００２３】
図３は、図２の記録ディスク1000の状態から、記録ディスク1000を再初期化して、改め
て内周から新たに情報を記録した場合、記録済領域1010の最外周まで情報を記録した後、
DVD-RW，BD-REの規格にしたがって、他のDVD-ROMドライブ，BD-ROMドライブで再生可能な
ように、Temporary Lead-outを付加した後(図示せず)、残容量マーク領域1050を形成して
いる。残容量マーク領域1050は、上記Temporary Lead-outを付加した後(図示せず)、後述
するBD/DVDドライブ部2000で、Erase Powerを照射することにより、相変化膜の状態を、
記録状態のアモルファス状態から結晶状態(未記録領域1020と同じ状態)にすることにより
、記録済領域1010とは異なる反射率とすることにより形成される。そして、残容量マーク
領域1050により、ユーザは、記録ディスク1000の残容量を把握することができる。
【００２４】
なお、残容量マーク領域1050は、幅は規定せず、ユーザが目視できる範囲の幅があれば
よく、記録ディスク1000の最外周(情報記録可能領域の最外周)まで記録してもよい。
【００２５】
図４は、光ディスク装置2000の制御フローチャートで、特に、残容量マーク領域1050を
記録する処理を示す。
【００２６】
図２の記録ディスク1000に、新たに情報を記録する場合、記録処理を行い(ステップS40
1)、記録処理が終了した場合(ステップS402でYesの場合)、記録ディスク1000の種類がBD-
REかDVD-RWかをチェックし(ステップS403)、BD-REかDVD-RWかの記録ディスクの場合(ステ
ップS403でYesの場合)、残容量マーク領域形成処理を行い(ステップS404)、一連の処理を
終了する。ステップS403でNoの場合は、処理を終了する。
【００２７】
図５は、図４の処理を行う光ディスク装置を含むBD/DVDレコーダ3000のブロック図を示
している。
【００２８】
図４の処理は、記録ディスク1000に対して、情報の記録，再生を行うBD/DVDドライブ部
2000及び制御部2500に内蔵される。
【００２９】
BD/DVDレコーダ3000は、情報(TV映像信号等)を、アンテナ3010，チューナ3020から制御
部2500を介して、HDD部3030若しくはBD/DVDドライブ部2000の記録ディスク1000に記録す
るとともに、HDD部3030若しくはBD/DVDドライブ部2000の記録ディスク1000に記録された
情報を、制御部2500を介して外部(TV等)に出力する出力端子3040を備える。また、外部か
らの電力を電源3050を介してBD/DVDレコーダ3000に取り込む。
【００３０】
なお、上記では、記録ディスク1000への残容量マーク領域1050の形成を、BD/DVDレコー
ダ3000内のBD/DVDドライブ部2000及び制御部2500で行ったが、BD/DVDドライブ部2000内に
、図４のフローチャートを実行できるようにしてもよい。
【００３１】
また、BD/DVDレコーダ3000で、記録ディスク1000としてDVD-RWディスクを用いる際、一
般的にROW(Restricted OverWrite)モードを採用しており、ROWモードの場合は、Temporar
y Lead-outを付加した以降にはユーザおよびファイルシステムが必要とするデータは存在
しない。つまり、相変化膜はアモルファス状態のままであるものの、論理的にTemporary 
Lead-out以降のデータにアクセス不可とすることで、ユーザとしては、データが見えない
状態(初期化状態)とすることができる。このため、BD/DVDドライブ部2000は、制御部2500
からの指示が無くても、Temporary Lead-outを書き終えた以降、BD/DVDドライブ部2000自
身で残容量マーク領域1050を形成することも可能である。
【００３２】
なお、BD-REディスクの場合は、情報のランダム記録が可能なため、ファイルシステム
などの管理情報は、記録ディスク1000の最外周にいきなり記録することもある。よって、
BD-REディスクでは、BD/DVDドライブ部2000内部で、上記残容量マーク領域1050を記録す
る機能をサポートした場合、シーケンシャルで記録ディスク1000の内周から外周の方へTV
番組を記録した後で残容量マーク領域1050を記録した事で、上記ファイルシステムを消し
てしまう恐れがある。このため、BD-REディスクの場合は、どこに何が記録されているか
把握している制御部2500側で、該機能をサポートすることが望ましい。
【００３３】
具体的には、制御部2500側で制御する場合、BD/DVDドライブ部2000に、Erase Powerを
出す専用コマンドを設け、任意のスタートアドレスから任意の終了アドレス間を結晶状態
に戻せる機能を持たせる。制御部2500は、この専用コマンドを使って、必要なファイルシ
ステム部分を消さないように残容量マーク領域1050を記録する。
【符号の説明】
【００３４】
1000  記録ディスク
1010  記録済領域
1020  未記録領域
1050  残容量マーク領域
2000  BD/DVDドライブ部
2500  制御部
3000  BD/DVDレコーダ
3010  アンテナ
3020  チューナ
3040  出力端子
3050  電源
【図１】
2014010872.tif 000003
【図２】
2014010872.tif 000004
【図３】
2014010872.tif 000005
【図４】
2014010872.tif 000006
【図５】
2014010872.tif 000007